(57)【要約】【課題】遊技機において、簡単な構成で、しかも安全に静電気を除去する。【解決手段】パチンコ機１の一部（裏樋１０ｂ及び基板ケース３８）にトルマリンを担持させてマイナスイオン発生部とするだけで静電気対策ができるので、装置が大がかりになることはない。しかも、オゾンや窒素酸化物なども発生せず、もちろん電磁波も発生しない。【選択図】  図３
2005013260.tif 000002
【特許請求の範囲】
【請求項１】
マイナスイオンを発生する鉱物を担持した合成樹脂にて構成されるマイナスイオン発生部が設けられていることを特徴とする遊技機。
【請求項２】
請求項１記載の遊技機において、
前記マイナスイオン発生部は制御装置を収容する基板ケースに設けられていることを特徴とする遊技機。
【請求項３】
請求項２記載の遊技機において、
前記マイナスイオン発生部は、賞球の払出個数を指示する主制御装置及び該指示に基づいて賞球払出装置を制御する賞球制御装置以外の制御装置を収容する基板ケースに設けられていることを特徴とする遊技機。
【請求項４】
請求項２又は３記載の遊技機において、
前記マイナスイオン発生部が設けられた基板ケースは、３２ビット以上の処理能力を有するＣＰＵが用いられている前記制御装置を収容する基板ケースであることを特徴とする遊技機。
【請求項５】
請求項１記載の遊技機において、
前記マイナスイオン発生部は、賞球払出装置に供給される遊技球の通路及び賞球払出装置から排出された遊技球の通路を備える裏セットに設けられていることを特徴とする遊技機。
【請求項６】
請求項５記載の遊技機において、
前記裏セットのプラスに帯電しやすい部分を前記マイナスイオン発生部としたことを特徴とする遊技機。
【発明の詳細な説明】
【０００１】
【発明の属する技術分野】
本発明は、遊技機の技術分野に属する。
【０００２】
【従来の技術】
パチンコ機等の遊技機では、例えば遊技球等の移動に伴って静電気が発生することが知られている。また、静電スパーク等の電撃やノイズが遊技機の特に制御装置に悪影響を及ぼすことも公知である。そのためにアースが行われているが、ノイズ対策としては完璧と言い切れなかった。
【０００３】
しかも、最近では図柄制御装置等に３２ビットや６４ビットという処理能力の高いＣＰＵを制御装置に搭載するようになり、以前にも増してノイズ対策の必要性が高まっている。
このような状況から、より良好な静電気対策が求められており、放電によって発生させたイオンを島ユニットやパチンコ機に吹き付ける除電方法が提案されている（例えば特開平９−３０６６９０号公報、実用新案登録第３０２２０８５号公報、実用新案登録第３０２２５５０８号公報）。
【０００４】
【特許文献１】
特開平９−３０６６９０号公報（請求項１等）
【特許文献２】
実用新案登録第３０２２０８５号公報（段落０００４）
【特許文献３】
実用新案登録第３０２２５５０８号公報（段落０００６）
【０００５】
【発明が解決しようとする課題】
しかしながら、放電によるイオン発生と送風の組合せであると、装置が大がかりになる欠点があった。
また、空気中でのコロナ放電ではオゾン、窒素酸化物、プラスイオンなどの有害な物質等が発生するばかりでなく、電磁波（ノイズ）も発生するのでノイズ対策としては採用困難であった。
【０００６】
【課題を解決するための手段および発明の効果】
請求項１記載の遊技機は、マイナスイオンを発生する鉱物を担持した合成樹脂にて構成されるマイナスイオン発生部が設けられているので、マイナスイオン発生部によって発生したマイナスイオンがプラス静電気を中和し、除電する。
【０００７】
遊技機にマイナスイオン発生部を設けるだけでよいので装置が大がかりになることはない。また、放電によってマイナスイオンを発生させるわけではないから、オゾン、窒素酸化物、プラスイオンなどの有害な物質等は発生しない。もちろん電磁波も発生しない。
【０００８】
マイナスイオンを発生する鉱物としてはトルマリン、モザナイト等が知られており、このような鉱物を用いればよい。
ただし、トルマリンは、熱や摩擦などの刺激によってマイナスイオンを発生する性質であるから、例えば遊技球等と接触する部材の表面層に設けるのが望ましい。モザナイトは電気、熱、摩擦などの刺激は必要としないが、きわめて微弱ながら放射線を発するので使用位置が制限されたり、放射線防御が必要となることがある。本発明の鉱物としては、マイナスイオンの発生に刺激を要するものも要しないものも、ともに採用できる。
【０００９】
マイナスイオンを発生する鉱物を合成樹脂に担持させるには、例えば成形樹脂中に該鉱物の粉末を混入したり、合成樹脂の成形品の表面に該鉱物を含有する塗装を施したりすればよい。
なお、マイナスイオン発生部を設ける場所は、プラスに帯電しやすい場所が好ましい。摩擦によって発生する静電気の極性は帯電列に従うので、例えば遊技球（鋼球）と遊技の通路となる合成樹脂等との帯電列での位置に基づいてプラスに帯電しやすいかマイナスに帯電しやすいかを予測できる。
【００１０】
請求項２記載の遊技機は、請求項１記載の遊技機において、前記マイナスイオン発生部は制御装置を収容する基板ケースに設けられていることを特徴とする。
遊技機の電気部品の中でも制御装置はＣＰＵ等のノイズに敏感なディバイスが含まれているので、これを収容する基板ケースにマイナスイオン発生部を設ければ制御装置を静電気やノイズから保護でき、遊技機全体に占めるマイナスイオン発生部の割合を小さくできる。
【００１１】
請求項３記載の遊技機は、請求項２記載の遊技機において、前記マイナスイオン発生部は、賞球の払出個数を指示する主制御装置及び該指示に基づいて賞球払出装置を制御する賞球制御装置以外の制御装置を収容する基板ケースに設けられていることを特徴とする。主制御装置及び賞球制御装置以外の制御装置（サブ制御装置）はＣＰＵの性能に制限がないので、３２ビットや６４ビットのＣＰＵを搭載するのが普通である。つまり、ノイズ対策の必要性が高い制御装置であるから、これらを収容する基板ケースにマイナスイオン発生部を設けることは、制御装置を静電気やノイズから保護する上で効率がよい。
【００１２】
請求項４記載の遊技機は、請求項２又は３記載の遊技機において、前記マイナスイオン発生部が設けられた基板ケースは、３２ビット以上の処理能力を有するＣＰＵが用いられている前記制御装置を収容する基板ケースであることを特徴とし、３２ビット以上のＣＰＵを搭載した制御装置の基板ケースに限定したものである。
【００１３】
請求項５記載の遊技機は、請求項１記載の遊技機において、前記マイナスイオン発生部は、賞球払出装置に供給される遊技球の通路及び賞球払出装置から排出された遊技球の通路を備える裏セットに設けられていることを特徴とする。
賞球は、普通賞球タンクに貯留されている遊技球をタンクレールなどで賞球払出装置に誘導し、賞球払出装置が稼働して排出された遊技球を樋等で受皿（上皿、下皿）に誘導して放出している。従って、賞球の通路が設けられている裏セットは、遊技球との摩擦による静電気が発生しやすい。その裏セットにマイナスイオン発生部を設ければ、静電気対策、ノイズ対策として好適である。
【００１４】
請求項６記載の遊技機は、請求項５記載の遊技機において、前記裏セットのプラスに帯電しやすい部分を前記マイナスイオン発生部としたことを特徴とする。
本発明に用いられる鉱物はマイナスイオンを発生させる鉱物であるから、プラスに帯電しやすい部分をマイナスイオン発生部とすることで、その効果を良好にできる。
【００１５】
【発明の実施の形態】
次に、本発明をパチンコ機に適用した実施例により発明の実施の形態を説明する。なお、本発明は以下の例に限定されるものではなく、本発明の要旨を逸脱しない範囲でさまざまに実施できることは言うまでもない。
【００１６】
【実施例１】
図１はパチンコ機１の背面図である。このパチンコ機１の構造自体は公知のものと同様であり、外枠２に取り付けられた前面枠３にて各部を支持している。
まず、前面枠３の背面には裏セット１０が装着されている。
【００１７】
裏セット１０には、外部中継基板１３、球タンク１４、タンクレール１５、賞球払出装置１６、球貸装置１７、音声制御装置１８、保護カバー１９、主制御装置２０、ランプ制御装置２１、電源装置２２、賞球制御装置２３、発射制御装置２５などが取り付けられている。
【００１８】
図２に示すように、裏セット１０は本体１０ａ、裏樋１０ｂ、球貸し通路１０ｃ等にて構成され、これに球タンク１４、タンクレール１５、賞球払出装置１６、球貸装置１７、ケースレール２６等が取り付けられている。本体１０ａ、裏樋１０ｂ、球貸し通路１０ｃ、球タンク１４及びタンクレール１５は合成樹脂（ＡＢＳ）の成形品である。
【００１９】
このパチンコ機１を約３０分間稼働させてから各部分の帯電状態を測定したところ、下記の表１に示すとおりであった。
【００２０】
【表１】
2005013260.tif 000003
【００２１】
この結果から、裏球出口（裏樋１０ｂの機外排出口）がプラスに帯電しやすいことが分かったので、トルマリン粉末を混入した塗料を調製して裏樋１０ｂに塗布して、同様に帯電状態を測定したところ、裏球出口の帯電値の低下がみられた。裏球出口は、遊技に使用された遊技球（セーフ球及びアウト球）が機外に排出される出口であり頻繁に遊技球が通過するので、その遊技球との摩擦が刺激となって樹脂中のトルマリンがマイナスイオンを発生した結果と考えられる。
【００２２】
また、このパチンコ機１では、トルマリン粉末を混入したポリカーボネート樹脂で成形した基板ケース３８に図柄制御装置３６を収容しているので、次にこれを説明する。なお、基板ケース３８（図柄制御装置３６）は、図１において保護カバー１９に隠れる場所に設置されている。
【００２３】
図３に示すように、図柄制御装置３６は、その制御対象であるＴＦＴ−ＬＣＤモジュール３３と共に基板ケース３８に収容されている。詳細には、図４に示すように、基板ケース３８は保護パネル３１、液晶前ケース３２、液晶スペーサ３５及び液晶裏ケース３７からなり、いずれもポリカーボネートの成形品（透明）である。
【００２４】
ＴＦＴ−ＬＣＤモジュール３３は、保護パネル３１、液晶前ケース３２及び液晶スペーサ３５によって形成される箱状の部分に収容され、図柄制御装置３６は液晶スペーサ３５と液晶裏ケース３７とで形成される箱状の部分に収容され、図柄制御装置３６とＴＦＴ−ＬＣＤモジュール３３とはテープ電線３４によって接続されている。
【００２５】
保護パネル３１はＴＦＴ−ＬＣＤモジュール３３の表示面を保護するので高度の透明性が要求されるが、液晶前ケース３２と液晶スペーサ３５は透明性は要求されない。また、液晶裏ケース３７は収容している図柄制御装置３６を視認可能であることが必要であるが、完全な透明性までもは要求されない。
【００２６】
こうした事情から、本実施例では液晶前ケース３２、液晶スペーサ３５及び液晶裏ケース３７を、トルマリン粉末を混入したポリカーボネートで成形してある。トルマリンの混入比率は、図柄制御装置３６を十分に視認可能な透明性を確保できることと及びケースとしての強度が十分であることを条件に実験に基づいて設定された。
【００２７】
トルマリンがマイナスイオンを発生するには熱や摩擦などの刺激が必要であるが、基板ケース３８（図柄表示装置として）は遊技盤の中央部に設置されるので、液晶前ケース３２は頻繁に遊技球が衝突する。この衝突による刺激でトルマリンがマイナスイオンを発生すると期待できる。また、図柄制御装置３６及びＴＦＴ−ＬＣＤモジュール３３が稼働すれば発熱するので、その熱が刺激となってトルマリンがマイナスイオンを発生することも期待できる。これにより、基板ケース３８にプラスの静電気が蓄積されるのを防止できる。
【００２８】
このようにパチンコ機１の一部（裏樋１０ｂ及び基板ケース３８）にトルマリンを担持させてマイナスイオン発生部とするだけで静電気対策ができるので、装置が大がかりになることはない。しかも、オゾンや窒素酸化物なども発生せず、もちろん電磁波も発生しない。
【００２９】
【実施例２】
この実施例は、合成樹脂製の収納スペースにマイナスイオンを発生する鉱物を収納することにより、マイナスイオン発生部とする例である。
図５に示すように、収納スペースとなる鉱物保持部４２は、基板ケース４４に備わっている。なお、基板ケース４４の構造以外は実施例１と同様であるから、それらの図示と説明は省略する。
【００３０】
基板ケース４４は、実施例１で説明した基板ケース３８と同様の保護パネル３１（図５には示されない。図４参照）、液晶前ケース３２、液晶スペーサ３５及び液晶裏ケース３７からなっている。また、実施例１の基板ケース３８と同様に、ＴＦＴ−ＬＣＤモジュール３３及び図柄制御装置３６（これらも実施例１と同様である。）を収容しており、やはり実施例１と同様に図柄制御装置３６とＴＦＴ−ＬＣＤモジュール３３とはテープ電線３４（図５には示されない。図４参照）によって接続されている。
【００３１】
本実施例の基板ケース４４では、液晶裏ケース３７に鉱物保持部４２の固定部４６が設けられている。固定部４６が設けられた位置は、図柄制御装置３６のコネクタ３６ａ、３６ｂを露出させるために液晶裏ケース３７に設けられたコネクタ露出部３７ａに隣接している。
【００３２】
固定部４６は、図５（ｃ）に良好に示されるとおり、側壁４７、一対の係合フック４８及びスリット４９を備えており、スリット４９を介して液晶裏ケース３７の内側、すなわち基板ケース４４の内部と連通している。
一方、鉱物保持部４２の上半部である可動部５０は、下側が開口した箱状であり、側面には係合フック４８に対応する一対の係合受５２（図示は片方のみ）が設けられている。
【００３３】
そして、例えば固定部４６内にマイナスイオンを発生する鉱物を入れてから可動部５０をかぶせるようにして、係合フック４８と係合受５２を係合させることで固定部４６と可動部５０とを一体化して鉱物保持部４２とする。
マイナスイオンを発生する鉱物が、基板ケース４４の内部と連通した鉱物保持部４２に収容されているので、この鉱物が発生させたマイナスイオンが基板ケース４４内に進入、拡散して、基板ケース４４にプラスの静電気が蓄積されるのを防止する。
【００３４】
しかも、鉱物保持部４２は、基板ケース４４に収納された制御装置（本例では図柄制御装置３６）の入出力端子であるコネクタ３６ａ、３６ｂの近傍に設けられている。ノイズは、配線などを伝わりやすいので、その配線が接続されるコネクタ３６ａ、３６ｂ付近にマイナスイオンを発生する鉱物（鉱物保持部４２）を配置することで、プラスの静電気が蓄積されるのを効率よく防止できる。
【００３５】
マイナスイオンを発生する鉱物としてトルマリンを用いる場合、図柄制御装置３６及びＴＦＴ−ＬＣＤモジュール３３が稼働する際の熱が刺激となって、トルマリンがマイナスイオンを発生するから、上記の効果を得られる。
このように、収納スペースを合成樹脂部品として設けて、或いは基板ケース４４のような合成樹脂部品の一部に収納スペースを設けて、その収納スペース内にマイナスイオンを発生する鉱物を収納しても、プラスの静電気が蓄積されるのを防止できる。
【００３６】
この場合、上に説明したように、プラスの静電気が蓄積される可能性がある場所（上の例では基板ケース４４の内部）と収納スペースとを連通させておくと、より効果的である。つまり、収納スペースはマイナスイオンを放散させるための開口（例えばスリット）を備えていることが望ましい。
【００３７】
このようにパチンコ機１の一部（基板ケース４４）に例えばトルマリンを担持させてマイナスイオン発生部とするだけで静電気対策ができるので、装置が大がかりになることはない。しかも、オゾンや窒素酸化物なども発生せず、もちろん電磁波も発生しない。
【００３８】
なお、実施例２では基板ケース４４の液晶裏ケース３７の外側に突出する形状で鉱物保持部４２を設けているが、内部スペースに余裕を持たせて内部に鉱物保持部４２を設けるように構成しても何等差し支えない。また、基板ケース４４の内部に鉱物保持部４２を設けることで、鉱物保持部４２と基板ケース４４の内部スペースとの接面積が大きくなり、スリット４９を鉱物保持部４２の単一面だけでなく、複数面に設けることができ、マイナスイオンの供給効率を高めることができる。
【００３９】
実施例２では鉱物保持部４２を基板ケース４４に設ける構成としているが、裏セット１０の球タンク１４、タンクレール１５、賞品球払出装置１６、球貸装置１７又はケースレール２６などに設ける構成としても何等差し支えない。その際、鉱物保持部４２内に収納されるマイナスイオンを発生する鉱物が外的刺激（熱、衝撃、摩擦など）を受けなくてもマイナスイオンを常時発生することが可能な鉱物であれば問題はないが、そうでない場合にはマイナスイオンを好適に発生させるために、鉱物保持部４２の形状を変化させて収納された鉱物に遊技球の衝突が可能となるように構成することや、遊技中に放熱する賞品球払出装置１６又は球貸装置１７などに設けられるモータやソレノイドなどアクチュエータの近傍に鉱物保持部４２を設けること、など何らかの外的刺激が加わる構成とすることが好適である。
【００４０】
実施例２のようにマイナスイオンを発生する鉱物又は該鉱物を含む混合物を収容するための収納スペース（実施例２の鉱物保持部）を設ける場合、該収納スペースは、マイナスイオンを発生する鉱物又は該鉱物を含む混合物を載置する底部材（実施例２の固定部）と、該底部材に載置された鉱物又は混合物を覆う蓋部材（実施例２の可動部）とから構成するとよい。その際、底部材と蓋部材とを不可逆的に連結してしまわず、可逆的に分離可能にしておくとよい。
【００４１】
その収納スペースは、実施例２で具体的に説明したように、主制御装置、図柄制御装置、音制御装置、ランプ制御装置、発射制御装置、賞球制御装置又は電源装置を収容する基板ケースに設けることができる（実施例２では図柄制御装置の基板ケース）。また、収納スペースを裏セットに設けることも可能である。
【００４２】
収納スペースを基板ケースに設ける場合は基板ケースの内部スペースに設けて、裏セットなら裏セット内の遊技球が通過する球通路スペースに設けるとよい。
収納スペースを設ける場合、その少なくとも一部（底部材又は蓋部材）は、基板ケース又は裏セットを構成する部材により構成するとよい。そうすれば、底部材又は蓋部材の一方を基板ケース又は裏セットの一部として成形できる。
【００４３】
さらに、実施例２でもスリット４９を設けているように、収納スペースは、基板ケースの内部スペース又は裏セット内の遊技球が通過する球通路スペースと連通するための連通孔（スリット）を備えるのが望ましい。
【００４４】
【その他】
実施例１では裏セット１０の一部と図柄制御装置３６の基板ケース３８にトルマリン粉末を担持させ、実施例２では基板ケース４４に設けた鉱物保持部４２に例えばトルマリンを収納しているが、他の合成樹脂部材にも担持（或いは収納）させることが可能である。また、マイナスイオンを発生する鉱物ならトルマリンに限らず採用できるし、例えばそのような性質の鉱物とセラミックスとの混合物を使用してもよい。さらに、実施例１、２は本発明をパチンコ機に適用しているが、他の形式の遊技機、例えばスロットマシン等にも適用可能である。
【図面の簡単な説明】
【図１】実施例１のパチンコ機の背面図。
【図２】裏セットの分解斜視図。
【図３】図柄制御装置を収容している基板ケースの斜視図。
【図４】図３の分解斜視図。
【図５】実施例２の基板ケースの説明図。
【符号の説明】
１          パチンコ機（遊技機）
１０      裏セット
１０ｂ  裏樋（マイナスイオン発生部）
３２      液晶前ケース（マイナスイオン発生部）
３３      ＬＣＤモジュール
３５      液晶スペーサ（マイナスイオン発生部）
３６      図柄制御装置
３７      液晶裏ケース（マイナスイオン発生部）
３８      基板ケース（マイナスイオン発生部）
４２      鉱物保持部（マイナスイオン発生部）
４４      基板ケース（マイナスイオン発生部）
【図１】
2005013260.tif 000004
【図２】
2005013260.tif 000005
【図３】
2005013260.tif 000006
【図４】
2005013260.tif 000007
【図５】
2005013260.tif 000008